(57)【要約】【課題】  封入された初期現像剤を現像動作の開始前に簡単に開放する。【解決手段】  現像剤が封入された現像剤収容室５と現像ロール配置領域３との間に移動可能な遮蔽部材１５を設ける。現像剤収容室には、周面に突起１１ａ、１２ａが形成された回転体１１、１２を有する２本のオーガ９、１０が配置される。遮蔽部材の掛け回し部は回転体に張架され、突起１１ａ、１２ａと係合する係合孔１６ａ及び突起とは係合されない長孔１６ｃとが設けられている。回転体が回転すると突起１１ａと係合孔１６ａが係合し、掛け回し部とともに遮蔽部１７を移動して現像剤収容室の封鎖を解除する。その後、回転体には掛け回し部の長孔が設けられた部分が当接する。これにより、遮蔽部材と回転体の突起との係合が解除され、オーガの回転駆動が継続されても駆動力が遮断されて遮蔽部は現像剤を開放する位置で停止する。【選択図】  図３
2009169107.tif 000002
【特許請求の範囲】
【請求項１】
粉状の現像剤を保持することができる無端状の周面を有し、該周面が周回移動する現像部材と、
前記現像部材の周面と対向する位置に設けられ、前記現像部材に供給する現像剤が収容された現像剤収容室と、
前記現像剤収容室内の前記現像剤を前記現像部材に向かって供給する駆動部材と、
前記現像部材と前記現像剤収容室との間を遮蔽する位置に配置され、前記現像部材と前記現像剤収容室との間を開放する位置への移動が可能に支持された遮蔽部材と、を備え、
前記遮蔽部材が前記現像部材と前記現像剤収容室との間を遮蔽する位置にあるときに、前記駆動部材の駆動力によって前記遮蔽部材が移動し、
該遮蔽部材が前記現像装置と前記現像剤収容室との間を開放する位置に移動したときに、前記駆動力の伝達が遮断されるものであることを特徴とする現像装置。
【請求項２】
前記遮蔽部材は、可撓性を有するフィルムからなり、  前記現像部材と前記現像剤収容室との間を遮蔽する遮蔽部と、  該遮蔽部の両側部に、該遮蔽部と連続して無端状となるように設けられ、前記駆動部材の軸線方向の両端部に設けられた円筒状の回転体と該駆動部材の軸線と平行に支持された支持部材とに掛け回して張架された掛け回し部とを有し、
前記駆動部材が、軸線回りに回転駆動されることによって、前記遮蔽部材が前記掛け回し部の周方向に移動するものであることを特徴とする請求項１に記載の現像装置。
【請求項３】
前記現像剤収容室は、第１の撹拌搬送領域と第２の撹拌搬送領域とに仕切られており、
前記駆動部材及び前記支持部材は、該第１の撹拌搬送領域及び第２の撹拌搬送領域にそれぞれ配置され、それぞれが両端部に前記遮蔽部材の掛け回し部が掛け回される円筒状の回転体を有し、これらの回転体間に前記現像剤を軸線方向に搬送する翼体が設けられて互いに反対方向に前記現像剤を搬送する第１の撹拌搬送部材及び第２の撹拌搬送部材であることを特徴とする請求項２に記載の現像装置。
【請求項４】
前記回転体は、周面に複数の突起が形成され、
前記遮蔽部材の前記掛け回し部には、前記突起が嵌め合わされ、回転する回転体から駆動力が伝達される係合孔が形成されており、
前記係合孔が形成されている周方向の範囲が限定され、前記遮蔽部が前記現像部材と前記現像剤収容室との間を遮蔽する位置にあるときには、前記突起と前記係合孔とが係合され、前記遮蔽部が前記現像部材と前記現像剤収容室の間を開放する位置に移動したときに、前記突起と前記係合孔との係合が解除されるものであることを特徴とする請求項２又は請求項３に記載の現像装置。
【請求項５】
前記現像部材と前記現像剤収容室との間における前記回転体の周面と対向する位置には、該現像装置のハウジング内の上面と側面と底面とのいずれとも隙間を生じないように支持され、前記回転体の周面との間に前記遮蔽部材を挟み込む側部封鎖部材を有することを特徴とする請求項２から請求項４までのいずれかに記載の現像装置。
【請求項６】
前記遮蔽部材の前記遮蔽部の周方向における両端部には、前記駆動部材の軸線方向に沿って連続したシール部材がそれぞれ貼付されており、該シール部材は該現像装置のハウジングの該遮蔽部材と対向する内面に圧接されるともに、側端部が前記側部封鎖部材と接触していることを特徴とする請求項５に記載の現像装置。
【発明の詳細な説明】
【技術分野】
【０００１】
本発明は、複写機やレーザープリンタ等に用いられ、静電電位の差による潜像を粉状のトナーの付着により可視化する現像装置に関する。
【背景技術】
【０００２】
複写機、プリンタ、ファクシミリ、あるいはこれらの機能を兼ね備えた複合機等の画像形成装置で用いられる現像装置としては、粉状のトナーと磁性キャリアとを含むいわゆる二成分現像剤を使用するものや粉状のトナーである一成分現像剤を使用するものが広く普及している。
この画像形成装置では、現像剤を収容した現像装置を像保持体と対向配置し、像保持体の表面にトナーを転移させて静電潜像を可視化する。現像装置には、使用前の初期段階で現像剤が投入されており（以後、「初期現像剤」という）、現像装置内の所定の領域に封入されている。そして、画像形成の動作を始める前に初期現像剤が開封され、像保持体と対向する現像部材に現像剤が供給されて現像動作が可能となる。
【０００３】
初期現像剤を現像装置内の所定の領域に封入する方法としては、例えば特許文献１に記載されているように、現像剤を収容した封入領域の開口部をシール部材で閉塞する方法がある。つまり、現像装置が未使用のときは、初期現像剤が収容された封入領域をシール部材で閉塞しておき、使用を開始するときにこのシール部材を除去して封入領域を開放し、初期現像剤を現像装置内に供給するものである。
また、特許文献２には、シール部材を巻き取る駆動源を備えた現像剤収納容器が記載されている。上記駆動源として、バネ等の弾性部材が用いられており、弾性部材が復元力を蓄えた状態で保持される。そして、この現像剤収納容器を画像形成装置本体に装着するときに上記復元力の保持が解除されて、シール部材を開封するものとなっている。
【特許文献１】特開平１１−６５２５０号公報
【特許文献２】特開２００１−３４０５５号公報
【発明の開示】
【発明が解決しようとする課題】
【０００４】
上記のように初期現像剤を現像装置内に封入しておく構造については、いくつかの提案がなされているが、より簡単に初期現像剤の密閉状態を開放し、現像装置を使用可能な状態とする手段が求められている。そして、封入状態を開放するときに、封入領域に初期現像剤が残留したり、初期現像剤の現像装置外への漏出が生じない構造とする必要がある。  また、操作者が使用開始時に初期現像剤の開放を忘れたりすることがない構造が望まれる。
【０００５】
本願発明は、上記のような事情に鑑みてなされたものであり、その目的は、現像剤を現像装置内の所定の領域に封入し、現像動作の開始前に簡単に現像剤を開放することができる現像装置を提供することである。
【課題を解決するための手段】
【０００６】
上記問題点を解決するために、請求項１に記載の発明は、  粉状の現像剤を保持することができる無端状の周面を有し、該周面が周回移動する現像部材と、  前記現像部材の周面と対向する位置に設けられ、前記現像部材に供給する現像剤が収容された現像剤収容室と、  前記現像剤収容室内の前記現像剤を前記現像部材に向かって供給する駆動部材と、  前記現像部材と前記現像剤収容室との間を遮蔽する位置に配置され、前記現像部材と前記現像剤収容室との間を開放する位置への移動が可能に支持された遮蔽部材と、を備え、  前記遮蔽部材が前記現像部材と前記現像剤収容室との間を遮蔽する位置にあるときに、前記駆動部材の駆動力によって前記遮蔽部材が移動し、  該遮蔽部材が前記現像装置と前記現像剤収容室との間を開放する位置に移動したときに、前記駆動力の伝達が遮断されるものである現像装置を提供する。
【０００７】
請求項２に係る発明は、請求項１に記載の現像装置において、  前記遮蔽部材は、可撓性を有するフィルムからなり、  前記現像部材と前記現像剤収容室との間を遮蔽する遮蔽部と、  該遮蔽部の両側部に、該遮蔽部と連続して無端状となるように設けられ、前記駆動部材の軸線方向の両端部に設けられた円筒状の回転体と該駆動部材の軸線と平行に支持された支持部材とに掛け回して張架された掛け回し部とを有し、  前記駆動部材が、軸線回りに回転駆動されることによって、前記遮蔽部材が前記掛け回し部の周方向に移動するものとする。
【０００８】
請求項３に係る発明は、請求項２に記載の現像装置において、  前記現像剤収容室は、第１の撹拌搬送領域と第２の撹拌搬送領域とに仕切られており、  前記駆動部材及び前記支持部材は、該第１の撹拌搬送領域及び第２の撹拌搬送領域にそれぞれ配置され、それぞれが両端部に前記遮蔽部材の掛け回し部が掛け回される円筒状の回転体を有し、これらの回転体間に前記現像剤を軸線方向に搬送する翼体が設けられて互いに反対方向に前記現像剤を搬送する第１の撹拌搬送部材及び第２の撹拌搬送部材であるものとする。
【０００９】
請求項４に係る発明は、請求項２又は請求項３に記載の現像装置において、  前記回転体は、周面に複数の突起が形成され、  前記遮蔽部材の前記掛け回し部には、前記突起が嵌め合わされ、回転する回転体から駆動力が伝達される係合孔が形成されており、  前記係合孔が形成されている周方向の範囲が限定され、前記遮蔽部が前記現像部材と前記現像剤収容室との間を遮蔽する位置にあるときには、前記突起と前記係合孔とが係合され、前記遮蔽部が前記現像部材と前記現像剤収容室の間を開放する位置に移動したときに、前記突起と前記係合孔との係合が解除されるものとする。
【００１０】
請求項５に係る発明は、請求項２から請求項４までのいずれかに記載の現像装置において、  前記現像部材と前記現像剤収容室との間における前記回転体の周面と対向する位置には、該現像装置のハウジング内の上面と側面と底面とのいずれとも隙間を生じないように支持され、前記回転体の周面との間に前記遮蔽部材を挟み込む側部封鎖部材を有するものとする。
【００１１】
請求項６に係る発明は、請求項５に記載の現像装置において、  前記遮蔽部材の前記遮蔽部の周方向における両端部には、前記駆動部材の軸線方向に沿って連続したシール部材がそれぞれ貼付されており、該シール部材は該現像装置のハウジングの該遮蔽部材と対向する内面に圧接されるともに、側端部が前記側部封鎖部材と接触しているものとする。
【発明の効果】
【００１２】
請求項１に係る発明の現像装置では、現像部材に現像剤を供給するための駆動部材の駆動力を遮蔽部材に伝達し、遮蔽部材を移動させて現像剤収容室に封入されている現像剤を開放することができる。つまり、現像動作を行うために必要な駆動部材の駆動が開始されると同時に現像剤収容室内の現像剤が開放され、現像部材への供給が開始される。したがって、現像剤を開放するための操作が不要となり、簡単に初期現像剤を開封することができるとともに、初期現像剤の開封を忘れて現像動作を開始する等の不都合が生じない。また、初期現像剤を封入するために現像剤収容室を使用するので初期現像剤の封入のためだけに現像装置内の大きな領域を使用することがなく、現像装置の小型化が可能となる。
【００１３】
請求項２に係る発明の現像装置では、回転体と支持部材とに掛け回わされた遮蔽部材が駆動部材の回転駆動によって移動し、遮蔽部材の簡単な動作で現像剤収容室と現像部材との間を開放することができる。
【００１４】
請求項３に係る発明の現像装置では、トナーとキャリアとを十分に撹拌しながら搬送するための撹拌搬送部材を利用して遮蔽部材を移動し、初期現像剤の開封及び現像部材への供給を行うことができる。
【００１５】
請求項４に係る発明の現像装置では、回転体の回転駆動とともに現像剤収容室と現像部材との間に位置していた遮蔽部が移動して現像剤を開放し、その後に駆動部材の駆動が継続されても突起と係合孔との係合が解除されて遮蔽部は現像剤を開放する位置で停止する。したがって、駆動部材の駆動により継続して現像剤を供給することができる。
【００１６】
請求項５に係る発明の現像装置では、周方向に移動可能に支持されたフィルム状の遮蔽部の側部から、現像剤収容室に封入されている現像剤が現像部材側に漏出するのを有効に防止することができる。
【００１７】
請求項６に係る発明の現像装置では、遮蔽部の周方向の両端部に貼付された二つのシール部材によって、周方向に移動可能に支持された遮蔽部の外面と現像装置のハウジングの内面との間から、現像剤収容室に封入されている現像装置が現像部材側に漏出するのを有効に防止することができる。
【発明を実施するための最良の形態】
【００１８】
以下、本願に係る発明の実施の形態を図に基づいて説明する。
図１及び図２は、本願発明の一実施形態である現像装置を示す概略断面図であり、図１は立断面を、図２は平断面を示すものである。
この現像装置１は、二成分現像剤を周面上に保持する現像ロール２（現像部材）と、この現像ロール２が配置されている現像ロール配置領域３と、現像ロール２と対向する位置に設けられ現像ロール２に供給する二成分現像剤を収容する現像剤収容室５と、現像ロール配置領域３と現像剤収容室５との間を遮蔽する遮蔽部材１５と、現像ロール配置領域３と現像剤収容室５との間に配置され遮蔽部材１５の側部から現像剤が漏出するのを抑える側部封鎖部材１９と、を備えている。
また、この現像装置１のハウジング２０は、本体部２０ａに上蓋２０ｂが嵌め合わされて形成されており、現像ロール２はその一部がハウジングの開口２０ｃから露出して感光体ドラム２１と近接・対向するように配設されている。
【００１９】
上記現像ロール２は、軸線を水平にして固定支持された磁石ロール２ａと、その周囲で回転可能に支持された非磁性の中空円筒状のスリーブ２ｂとを有し、磁石ロール２ａには周方向に複数の磁極が着磁されている。これにより、スリーブ２ｂの外周面に二成分現像剤を磁気的に吸着し、スリーブ２ｂの回転によって搬送することができるようになっている。スリーブ２ｂ上に吸着された二成分現像剤は、磁性キャリアが穂状に連なった状態で保持され、電荷を有するトナーがこの磁性キャリアに電気的に付着している。
二成分現像剤が現像ロール２に供給される領域の下流には、スリーブ２ｂ上に吸着した二成分現像剤の量を規制する層規制部材４が設けられている。これにより、二成分現像剤は、ほぼ均一な現像剤層となって感光体ドラム２１と対向する現像領域に送り込まれる。
【００２０】
現像領域では、形成されている電界内でトナーのみが感光体ドラム２１に転移し、磁性キャリアは磁石ロール２ａの磁力によってスリーブ２ｂ上に保持される。そして、感光体ドラム２１と対向する現像領域を通過した位置では、反発磁界で二成分現像剤をスリーブ２ｂ上から剥離し、現像剤収容室５に戻すようになっている。
【００２１】
現像剤収容室５は上記現像ロール２の背後に設けられており、図２に示すように、これらの間が仕切り板６によって仕切られ、第１の撹拌搬送領域７及び第２の撹拌搬送領域８を形成している。そして、現像ロール２と軸線が平行になるように支持された第１のオーガ９と第２のオーガ１０とが第１の撹拌搬送領域７及び第２の撹拌搬送領域８のそれぞれに配置されている。
【００２２】
これらのオーガは軸９ａ，１０ａの周囲に螺旋状の羽根９ｂ，１０ｂが所定のピッチで設けられたものであり、軸線回りに回転することによって二成分現像剤を撹拌しながらオーガ９，１０の軸線方向に搬送するものである。これらの搬送方向は、上記第１のオーガ９と第２のオーガ１０とで互いに逆方向となっている。そして、第１のオーガ９及び第２のオーガ１０の軸９ａ，１０ａは、図２に示すように、現像装置１のハウジング２０の外へ突き出しており、この軸９ａ，１０ａに駆動ギア１３が固着されて第１のオーガ９及び第２のオーガ１０を回転駆動するようになっている。
【００２３】
上記仕切り板６には、上記オーガ９，１０の軸線方向における両端部付近に連通口６ａ、６ｂが設けられており、第１の撹拌搬送領域７と第２の撹拌搬送領域８とが連通している。これにより、オーガ９，１０の駆動によって搬送される二成分現像剤は第１の撹拌搬送領域７と第２の撹拌搬送領域８とを循環して移動するものとなっている。そして、第１の撹拌搬送領域７からは現像ロール配置領域３に向けて二成分現像剤が搬送され現像ロール２に磁気的に吸着される。
【００２４】
図３は、上記オーガ９，１０、これらのオーガ９，１０に設けられた回転体１１，１２、これらの回転体に掛け回される遮蔽部材１５、オーガ９，１０を駆動させる駆動ギア１３、及び回転体１１、１２の外周面に貼付されるシール部材１１ｂ，１１ｃ，１２ｂ，１２ｃを示す分解斜視図である。
上記第１のオーガ９と第２のオーガ１０の軸線方向の両端部には、円筒状の第１の回転体１１と第２の回転体１２が設けられており、オーガ９，１０の回転駆動とともにこの回転体１１，１２も回転するようになっている。そして、この回転体１１，１２の外周面の幅方向における中央部分には、周方向に所定のピッチで突起１１ａ，１２ａが設けられており、この突起１１ａ，１２ａは次に説明する遮蔽部材１５に設けられた係合孔１６ａと係合するようになっている。また、回転体１１，１２の外周面には、突起１１ａ，１２ａが設けられた領域の両側に不織布等の柔軟に変形する材料からなるシール部材１１ｂ，１１ｃ，１２ｂ，１２ｃが貼付されている。このシール部材１１ｂ，１１ｃ，１２ｂ，１２ｃの厚さは、突起１１ａ，１２ａの高さよりも薄くなっている。
【００２５】
上記遮蔽部材１５は、図３に示すように可撓性のフィルムからなり、第１のオーガ９及び第２のオーガ１０に設けられた第１の回転体１１及び第２の回転体１２に掛け回される掛け回し部１６と、現像ロール配置領域３と現像剤収容室５との間を遮蔽する遮蔽部１７と、遮蔽部１７の周方向の両端部に帯状に貼着された二つのシール部材１８ａ，１８ｂとを含むものである。
【００２６】
上記掛け回し部１６は、遮蔽部材１５の幅方向の両端部に遮蔽部１７とそれぞれ連続するように形成されており、所定幅の無端ベルト状となっている。そして、これらが第１のオーガ９及び第２のオーガ１０の両端部に設けられた第１の回転体１１と第２の回転体１２の外周面にシール部材１１ｂ，１１ｃ，１２ｂ，１２ｃを介して掛け回されている。この掛け回し部１６には、第１の回転体１１と第２の回転体１２の外周面のそれぞれに設けられた突起１１ａ，１２ａと係合する複数の係合孔１６ａと、この係合孔１６ａよりも周方向に長い長孔１６ｂとが周方向に配列して形成されている。複数の係合孔１６ａが形成されている領域１６ｃと、長孔１６ｂが設けられた領域とは、掛け回し部１６の周方向にそれぞれ二箇所が交互に配列されている。つまり、係合孔１６ａが形成されている領域１６ｃは、係合孔１６ａと突起１１ａ，１２ａとの係合によって第１の回転体１１及び第２の回転体１２から周方向の駆動力が伝達される部分となっており、これらの間に設けられている長孔１６ｂは、回転体１１，１２の突起１１ａ，１２ａと係合されず、駆動力が伝達されない領域となっている。したがって、掛け回し部１６が周方向に移動して長孔１６ｂが回転体１１，１２の周面上にあるときには、回転体１１，１２から遮蔽部材１５に対して駆動力が伝達されず、回転体１１，１２のみが回転するものである。
【００２７】
上記遮蔽部１７は、現像装置１の使用開始前には現像ロール配置領域３と現像剤収容室５との間に配置され、現像剤収容室５内に収容されている現像剤が現像ロール配置領域３に漏出しないように遮蔽するものである。そして、掛け回し部１６と連続しており、回転体１１，１２から駆動力が伝達されて掛け回し部１６が周方向に移動することにより、これとともに遮蔽部１７も移動して現像ロール配置領域３と現像剤収容室５との間を開放し、現像剤収容室５内の現像剤を現像ロール２に供給可能とするものである。
【００２８】
遮蔽部１７の周方向の両端部に帯状に貼着されている上記シール部材１８ａ，１８ｂは、柔軟に変形する材料である不織布やウレタン等からなるものであり、一方の端部に貼着されているシール部材１８ａは、ハウジングの上蓋２０ｂの内面に接触し、他方の端部に貼着されているシール部材１８ｂはハウジングの本体部２０ａの底面に密着するように配置されている。これにより、遮蔽部１７の上部とハウジングの上蓋２０ｂとの間及び遮蔽部１７の下部とハウジングの本体部２０ａとの間から二成分現像剤が漏出するのを防止している。
【００２９】
上記側部封鎖部材１９は、図１及び図２に示すように、現像ロール配置領域３と現像剤収容室５との間に設けられ、第１のオーガ９の両端部付近に固着された第１の回転体１１，１１の外周面に、現像ロール配置領域３側から対向するように配置されている。
図４及び図５は、側部封鎖部材１９が設けられた部分を拡大して示す平断面図であり、それぞれ図１中に示すＡ−Ａ線及びＢ−Ｂ線における断面を示すものである。また、図６は図１中に示すＣ−Ｃ線における断面図である。
【００３０】
側部封鎖部材１９の、第１の回転体１１の突起１１ａが形成された領域と対向する部分には凹状の溝１９ｂが設けられており、その両側が遮蔽部材１５を介して回転体１１に押圧されている。したがって、この側部封鎖部材１９は、回転体の突起１１ａとは非接触となっており、回転体１１は遮蔽部材１５とともに回転し、側部封鎖部材１９の押圧面で摺擦される。
【００３１】
また、側部封鎖部材１９の第１の回転体１１，１１に巻き回された掛け回し部１６に押圧される接触面には、柔軟に変形するとともに遮蔽部材１５との間の摩擦を低減するシール部材１９ａが貼付されており、移動する掛け回し部１６に密着するとともに、回転体１１が円滑に回転できるようになっている。
【００３２】
この側部封鎖部材１９の上面、下面及び側面は、図６に示すように現像装置１のハウジング２０内の上面、底面及び側面に隙間が生じないように密着して配置されており、側部封鎖部材１９とハウジング２０との間から二成分現像剤が漏出するのを防止している。なお、側部封鎖部材１９とハウジング２０との密着性を確保するために、側部封鎖部材１９の上面、下面及び側面に弾性材料や不織布を介挿してもよい。また、側部封鎖部材１９はハウジングと一体に形成されたものでもよい。
【００３３】
一方、遮蔽部１７の周方向の両端部に貼付された２つのシール部材１８ａ，１８ｂのそれぞれは、図５及び図６に示すように幅方向の両端面が上記側部封鎖部材１９の側面に圧接されて密着している。そして、シール部材１８ａの上部は、上述したとおりハウジングの上蓋２０ｂの上面に、他方のシール部材１８ｂの下部はハウジングの本体部２０ａの底面にそれぞれ接触している。このため、ハウジング２０内で遮蔽部１７の上下がシール部材１８ａ，１８ｂで封鎖されるとともに側部は側部封鎖部材１９によって封鎖され、現像剤収容室５と現像ロール配置領域３との間が二成分現像剤の漏出が生じないように密閉されるものとなっている。
【００３４】
次に、このような現像装置１において、初期現像剤が開放される動作について説明する。
この現像装置１の使用開始前は、図１に示すように、遮蔽部１７が現像ロール配置領域３と現像剤収容室５との間に位置し、初期現像剤は現像剤収容室５内に封入されている。このとき、遮蔽部１７の両側部と上下部とは前述のように側部封鎖部材１９及びシール部材１８ａ，１８ｂによってそれぞれ封鎖され、二成分現像剤が現像ロール配置領域３に漏出しない状態となっている。また、第１のオーガ９及び第２のオーガ１０に取り付けられた第１の回転体１１と第２の回転体１２のそれぞれに形成された突起１１ａ，１２ａは遮蔽部材１５の掛け回し部１６に形成された係合孔１６ａと係合している。
【００３５】
このような現像装置１が画像形成装置に装着された後、使用が開始されるときに第１のオーガ９と第２のオーガ１０が図１中に示す矢印の方向に回転する。この回転にともなって回転体１１，１２が回転し、上記突起１１ａ，１２ａが係合している掛け回し部１６に回転駆動力が伝達され、遮蔽部材１５の掛け回し部１６とともに遮蔽部１７が周方向に移動する。このとき、遮蔽部１７の周方向の両端部に貼付されているシール部材１８ａ，１８ｂも遮蔽部１７とともに移動する。この移動により、図７に示すように、現像ロール配置領域３と現像剤収容室５との間が開放され、現像剤収容室５内の初期現像剤を現像ロール配置領域３へ供給することが可能となる。
【００３６】
遮蔽部１７が現像剤収容室５と現像ロール配置領域３との間から移動し、初期現像剤の封入を解除した後も二つのオーガ９、１０は、二成分現像剤を撹拌搬送して現像ロール２に供給するために回転駆動は継続される。しかし、遮蔽部１７が現像剤を開放できる位置まで移動すると、回転体１１，１２には掛け回し部１６の長孔１６ｂが設けられた部分が掛け回され、上記突起１１ａ，１２ａと掛け回し部１６との係合が解除される。これにより、オーガ９，１０の回転駆動力が掛け回し部１６に伝達されなくなり、遮蔽部材１５の移動が停止する。したがって、現像装置の使用が開始された後は、現像剤収容室５から現像ロール配置領域３へ二成分現像剤の供給が可能な状態が維持される。
【００３７】
以上に説明した実施の形態では、第１のオーガ９の回転によって二成分現像剤が現像ロール２に供給されるものとなっているが、図８に示すように、現像ロール配置領域３内にパドル２２を設け、このパドル２２によって現像ロール２へ二成分現像剤の供給することもできる。
なお、図８に示す現像装置のその他の構成は、図１から図７までに示す現像装置と同様のものを用いることができる。
【００３８】
また、上記実施の形態の現像装置は、二成分現像剤を用いるものであるが、一成分現像剤を用いる現像装置に本願発明を適用することもできる。
図９は、本願に係る発明の他の実施形態であって一成分現像剤を用いて静電潜像を可視化する現像装置の断面図である。また、図１０はこの現像装置で用いられるパドル３１、パドル３１に取り付けられた回転体３２、回転体に掛け回される遮蔽部材３５、及び回転体３２の後方で遮蔽部材３５が掛け回される支持部材３３を示す分解斜視図である。
【００３９】
この現像装置では、現像剤収容室３９に軸線が現像ロール３４とほぼ平行となるようにパドル３１が設けられており、このパドル３１の軸線方向における両端部付近に回転体３２が固着されている。そして、パドル３１の後方つまり現像ロール３４と反対側にはロール状の支持部材３３がパドル３１と平行に設けられている。遮蔽部材３５は、図１に示す現像装置で用いられるものと同様に、掛け回し部３６と遮蔽部３７と遮蔽部３７に貼付されたシール部材３８ａ，３８ｂとを備え、掛け回し部３６が回転体３２と支持部材３３とに掛け回されている。この掛け回し部３６には複数の係合孔３６ａと長孔３６ｂとが設けられており、係合孔３６ａは回転体３２に設けられた突起３２ａと係合するものとなっている。
また、遮蔽部材３５の遮蔽部３７が現像剤収容室３９と現像ロール配置領域４０との間を遮蔽する位置にあるときには、図１に示す現像装置と同様に側部封鎖部材４１及びシール部材３８ａ，３８ｂによって遮蔽部３７の上下部及び側部が封鎖され、一成分現像剤が現像ロール配置領域４０に漏出しないようになっている。
【００４０】
このような現像装置では、使用の開始とともにパドル３１が回転駆動され、回転体３２とともに遮蔽部材３５が周方向に移動して現像ロール配置領域４０と現像剤収容室３９との間が開放される。また、遮蔽部３７が現像ロール配置領域４０と現像剤収容室３９との間を開放する位置まで移動した後は、掛け回し部３６の長孔３６ｂが設けられた部分が回転体３２の周面と接触する状態となり、回転体３２と掛け回し部３６との係合が解除される。これにより、駆動力が伝達されなくなり、遮蔽部３７の移動は停止して、現像ロール３４に一成分現像剤を供給できる状態が維持される。
【図面の簡単な説明】
【００４１】
【図１】本願に係る発明の一実施形態である現像装置を示す概略断面図である。
【図２】図１に示す現像装置の平断面図である。
【図３】図１に示す現像装置で用いられる遮蔽部材、オーガ、回転体、回転体の外周面に貼着されるシール部材及び駆動ギアを示す分解斜視図である。
【図４】図１に示す現像装置の側部封鎖部材が設けられた部分を拡大して示す平断面図であり、図１中のＡ−Ａ線における断面を示すものである。
【図５】図１中のＢ−Ｂ線における断面図である。
【図６】図１中のＣ−Ｃ線における断面図である。
【図７】図１に示す現像装置で、遮蔽部材が現像剤収容室の封鎖を解除した状態を示す概略断面図である。
【図８】本願に係る発明の他の実施形態である現像装置を示す概略断面図である。
【図９】本願に係る発明の他の実施形態である現像装置を示す概略断面図である。
【図１０】図９に示す現像装置で用いられる遮蔽部材、パドル、回転体、遮蔽部材が掛け回される支持部材を示す分解斜視図である。
【符号の説明】
【００４２】
１：現像装置、    ２：現像ロール、  ３：現像ロール配置領域、    ４：層厚規制部材、    ５：現像剤収容室、    ６：仕切り板、    ７：第１の撹拌搬送領域、    ８：第２の撹拌搬送領域、    ９：第１のオーガ、    １０：第２のオーガ、    １１：第１の回転体、    １２：第２の回転体、  １３：駆動ギア、    １５：遮蔽部材、    １６：遮蔽部材の掛け回し部、    １７：遮蔽部材の遮蔽部、    １８ａ，１８ｂ：シール部材、    １９：側部封鎖部材、  
２０：現像装置のハウジング、    ２０ａ：ハウジングの本体部、    ２０ｂ：ハウジングの上蓋、    ２１：感光体ドラム、    ２２：パドル、      
３１：パドル、    ３２：回転体、    ３３：支持部材、    ３４：現像ロール、    ３５：遮蔽部材、    ３６：掛け回し部、    ３７：遮蔽部、    ３８ａ，３８ｂ：シール部材、    ３９：現像剤収容室、    ４０：現像ロール配置領域、    ４１：側部封鎖部材
【図１】
2009169107.tif 000003
【図２】
2009169107.tif 000004
【図３】
2009169107.tif 000005
【図４】
2009169107.tif 000006
【図５】
2009169107.tif 000007
【図６】
2009169107.tif 000008
【図７】
2009169107.tif 000009
【図８】
2009169107.tif 000010
【図９】
2009169107.tif 000011
【図１０】
2009169107.tif 000012